(57)【要約】【課題】ソケット部の後端部に取り付けられて定位置で回転する回転リング部に一体に突設された掛止リングと、前記ソケット部に先端工具が挿入される電動回転工具との間に掛け渡されてソケット部の抜け落ちを防止するソケット部の抜け落ち防止部材に関する。【解決手段】ソケット部の抜け落ち防止部材は、電動回転工具のバンパ前方の口部に外嵌される枠体部と、該枠体部の略直径方向に突出する左右一対のアーム部と、該一対のアーム部に両端が固定されて掛け渡される弾性バンド部と、前記一方のアーム部に基端が固定されて前記掛止リングに係脱自在に連結され取付部材とからなることを特徴とする。【選択図】図１
2020093378.tif 000002
【特許請求の範囲】
【請求項１】
ソケット部の後端部に取り付けられて定位置で回転する回転リング部に一体に突設された掛止リングと、前記ソケット部に先端工具が挿入される電動回転工具との間に掛け渡されてソケット部の抜け落ちを防止するソケット部の抜け落ち防止部材において、
電動回転工具のバンパ前方の口部に外嵌される枠体部と、該枠体部の略直径方向に突出する左右一対のアーム部と、
該一対のアーム部に両端が固定されて掛け渡される弾性バンド部と、
前記一方のアーム部に基端が固定されて前記掛止リングに係脱自在に連結され取付部材とからなることを特徴とするソケット部の抜け落ち防止部材
【請求項２】
左右一対のアーム部が、杆状枠体部と同一面状に突出する第１片部と該第１片部の先端から折れ曲がり後方へ下降傾斜する第２片部とからなっていることを特徴とする請求項１に記載のソケット部の抜け落ち防止部材。
【請求項３】
弾性バンドの一方の端部と取付部材の基端とが連結されてなることを特徴とする請求項１または２に記載のソケット部の抜け落ち防止部材。
【発明の詳細な説明】
【技術分野】
【０００１】
この発明は、工具用のソケット部（インパクトドライバーなどの工具に取り付けることができるソケット部）の軸折れによるソケットの脱落・落下防止するための防止部材に関する。
【背景技術】
【０００２】
従来、例えば、特開２０１０−１１５７１５号のソケット脱落防止具では、ソケット部と前記ソケット部の後端部に接続された工具取付部とで構成され、前記工具取付部の外周に摺動可能に取り付けられた冶具胴体部と、前記冶具胴体部に取り付けられたリングとを有する回転工具用ソケットの脱落を防止するためのバンドであって、前記リングに接続するための取付金具と、装着部とで構成され、
前記装着部が、前記取付金具に接続されており、かつ第１の円周部と、第１の円周部に接続された第２の円周部とを有する構成が開示されている。
これは、工具取付部の外周に、周方向への摺動が可能なように取り付けられた治具と、インパクトドライバーに取り付けたソケット脱落防止具とを接続することによって、ソケットの脱落を防止できることを実現するために、ソケット脱落防止具の円周部が一つだけの構成では、ある程度のソケット脱落防止効果が認められるが、インパクトドライバーの形状がメーカによって様々であること、作業者の使用環境が様々であることなどから、ソケット脱落防止が不十分であるとして、二つの円周部を設けることが必要であるとした。
しかし、二つの円周部を設ける場合は、構造が複雑化し、また強い締付力が異なる方向に作用するため、円周部のバンドを回転工具に装着したり、取り外す作業に手間がかかるなどの問題点であった。
【先行技術文献】
【特許文献】
【０００３】
【特許文献１】特開２０１０−１１５７１５号公報
【発明の概要】
【発明が解決しようとする課題】
【０００４】
この発明が解決しようとする問題点は、回転工具に装着する円周部を１つとして回転工具への着脱が容易に行えると共に、ソケット部の抜け落ちを確実に防止することができる抜け落ち防止部材を簡単な構成で提供することにある。
【課題を解決するための手段】
【０００５】
この発明は上記課題を達成するために、請求項１の発明では、
ソケット部の後端部に取り付けられて定位置で回転する回転リング部に一体に突設された掛止リングと、前記ソケット部に先端工具が挿入される電動回転工具との間に掛け渡されてソケット部の抜け落ちを防止するソケット部の抜け落ち防止部材において、
電動回転工具のバンパ前方の口部に外嵌される枠体部と、該枠体部の略直径方向に突出する左右一対のアーム部と、
該一対のアーム部に両端が固定されて掛け渡される弾性バンド部と、
前記一方のアーム部に基端が固定されて前記掛止リングに係脱自在に連結され取付部材とからなることを特徴とする。  
請求項２の発明では、
前記左右一対のアーム部が、杆状枠体部と同一面状に突出する第１片部と該第１片部の先端から折れ曲がり後方へ下降傾斜する第２片部とからなっていることを特徴とする。
請求項３の発明では、
前記弾性バンドの一方の端部と取付部材の基端とが連結されてなることを特徴とする。
【発明の効果】
【０００６】
この発明によれば、ソケットがインパクトドライバーなどの回転工具から外れたとしても、ソケット部が脱落することがなく、また装着も容易であるので、高所での作業をする場合の作業性を高めると共に、ソケット脱落による危険を回避することができる。
【図面の簡単な説明】
【０００７】
【図１】実施例１のソケット部の抜け落ち防止部材の斜視図である。
【図２】回転工具にソケット部の抜け落ち防止部材を装着した状態の側面図である。
【図３】同平面から見た装着状態を示す図である。
【図４】枠体部を示す正面図である。
【発明を実施するための形態】
【０００８】
以下にこの発明を電動回転工具の一例としてインパクトドライバーに適用した好適実施例について図１から図４を参照しつつ説明する。
【実施例１】
【０００９】
ソケット部の抜け落ち防止部材１は、図２〜３に示すように、インパクトドライバー２０の先端工具（ドライバビット）２１に外嵌するソケット部１０がインパクトドライバー２０から脱落しないように防止する部材である。
【００１０】
このソケット部の抜け落ち防止部材１は、ソケット部１０の後端部に取り付けられて定位置で回転する回転リング部１１に一体に突設された掛止リング１２と、前記ソケット部１０に先端工具２１が挿入されるインパクトドライバー２０との間に掛け渡されてソケット部１０の抜け落ちを防止する。
【００１１】
そして、ソケット部の抜け落ち防止部材１は、図１および図４に示すように、インパクトドライバー２０のハウジング２５の先端で、バンパ２４前方の筒状の先端口部２３に外嵌される枠体部２と、該枠体部２の略直径方向に突出する左右一対のアーム部３，４と、該一対のアーム部３，４に両端が固定されて掛け渡される弾性バンド部６と、前記一方のアーム部（図示例では４）に基端が固定されて前記掛止リング１２に係脱自在に連結され取付部材８とからなっている。
【００１２】
前記枠体部２は、剛性のある素材、本実施例では金属板の環状体からなっており、図示例では、中央に先端口部２３より僅かに大径な円孔２ａを有した環状体からなっており、先端口部２３の基端に嵌合し、後方に向かって拡径する台形状のバンパ２４によって後方への移動が拘束されている。
この発明では、環状体に限らず、六角や八角その他の無端形状であって、先端口部２３に外嵌される枠体形状であればよく、図示例に限定されるものではない。
アーム部３，４は、弾性バンド部６の端部を固定するためのものであり、図示例では、枠体部２と同一面状に突出する第１片部３ａ、４ａと該第１片部の先端から略直角に折れ曲がり後方へ下降傾斜する第２片部３ｂ、４ｂとからなっている。
【００１３】
ここで、前記アーム部３，４は、枠体部２の上下方向の中心線から上部に取り付けるか、もしくは、上方に３０度以上の角度αを持たせることで、弾性バンド部６が枠体部２の上下方向の中心位置より上方に取り付けられるようにすることが好ましい。
即ち、インパクトドライバー２０のメーカー機種により形状は異なるが、図４の点線で示すように、上下方向の中心位置もしくは中心より下方に弾性バンド部６が装着された場合、正逆回転切替スイッチ３０と作動スイッチの引金部２６と弾性バンド部６が緩衝するおそれがあるからである。
【００１４】
そして第２片部３ｂ、４ｂには、弾性バンド部６の端部を固定するための穴５ａ、５ｂが穿設されている。
図示例では、弾性バンド部６の端部は、バンド部６のバンド端部を前記穴５ａ（５ｂ）に通して折り返して輪１６を形成すると共に、折り返した重合部分１７を固定して無端の輪を形成している。
【００１５】
これにより、弾性バンド部６の端部は第２片部３ｂ、４ｂに対して遊動自在に連結されている。
なお、弾性バンド部６の中央には、インパクトドライバー２０に掛け止めた際に広範囲に掛け止められて緩衝用となるマット７が２つの穴を介して通してあり、バンドの長手方向にスライドして最適位置に変位することができると共に、この幅広なマットにより手袋などを装着した作業者が着脱しやすい構造となっている。
【００１６】
次に、取付部材８は、掛止リング１２に係脱自在に掛止めるナス環８ａと、ナス環８ａを旋回自在に支持する支持杆８ｂとからなっている。
上記取付部材８は、前記いずれか一方のアーム部（図示例では４）に連結されていればよいが、第２片部４ｂの穴５ｂに固定すれば、特別の構造が不要となる。
その上、弾性バンド部６の第２片部４ｂの穴５ｂに固定される連結部分と前記取付部材８の連結部分が一体に連続して形成されれば、一層構成がシンプルとなって好ましい。
【００１７】
即ち、弾性バンド部６の一方の端部は、２連の輪１６，１７を形成し、該輪と輪の間には重合締付部１８が形成されている。
これにより、弾性バンド部６の一方の端部は、第１の輪１６が第２片部４ｂの穴５ｂに固定されるが、該第１の輪１６は重合締付部１８を介して第２の輪１７が連設されており、該第２の輪１７には取付部材８の支持杆８ｂのＵ字枠が屈曲自在に連結されている。
【００１８】
上記構成からなるので、図２および図３に示すように、まずソケット部１０装着前に、枠体部２を先端口部２３に嵌合し、アーム部３，４が左右に均等に揃うように位置決めする。
その後、ソケット部１０を先端工具２１に嵌め込んでセットする。
そして、取付部材８（図示例ではナス環８ａ）をソケット部１０の掛止リング１２に掛止める。
【００１９】
次いで、弾性バンド部６をハウジング２５の後端面を通り超して、グリップ後方部２７ｂ（スイッチの引き金２６が設けられた裏面側）の窪み部分２９に掛止める。
なお、掛止める際に、マット７が後端に当たるように配置する。
これにより、ソケット部１０は、インパクトドライバーの先端口部に枠体部２が掛止められると共に、弾性バンド部６によって後方に牽引されるので、ソケット部の抜け落ち防止部材１を簡単且つ確実にインパクトドライバーに取り付けることができる。
【００２０】
本発明によれば、万が一ソケットがインパクトドライバーから外れた場合においても、ソケットが脱落することはない。このため、高所での作業をする場合の作業性を高めると共に、ソケット脱落による危険を回避することができる。
前記実施例ではインパクトドライバーを例にしたがその他の電動回転工具であってもよい。
また、ソケット部の形状は本実施例の形状に限らず公知の構造を用いることができる。
その他、要するにこの発明の要旨を変更しない範囲で種々設計変更しうること勿論である。
【符号の説明】
【００２１】
１    ソケット部の抜け落ち防止部材
２    枠体部
３、４  アーム部
３ａ、４ａ  拡張片部
３ｂ、４ｂ  後方傾斜片部
５    穴
５ａ、５ｂ  穴
６  弾性バンド部
７  マット
８  取付部材
１０  ソケット部
１１  回転リング部
１２  掛止リング
１６  輪
２０  インパクトドライバー
２１  先端工具（ドライバビット）
２２  工具装着部
２３  筒状の先端口部
２４  バンパ
２５  ハウジング
２６  スイッチの引金部
２７ａ  グリップ前方部
２７ｂ  グリップ後方部
２８  後端部
２９  窪み部後方
３０  正逆回転切替スイッチ
【図１】
2020093378.tif 000003
【図２】
2020093378.tif 000004
【図３】
2020093378.tif 000005
【図４】
2020093378.tif 000006